(57)【要約】【課題】ダウンライト型の照明装置において、使用状況に応じて灯体の最大傾斜角度を容易に変更できる構造を提供する。【解決手段】この照明装置は、フレーム１０と、アーム３０と、灯体４０とを備える。フレーム１０は、天井に対して固定される。アーム３０は、フレーム１０に対して回動可能に支持される。灯体４０は、アームに支持される。アーム３０に対する灯体４０の高さ位置は、第１高さと、第１高さよりも低い第２高さとの間で、変更可能である。また、灯体４０が第１高さに位置するときの灯体４０の最大傾斜角度と、灯体４０が第２高さに位置するときの灯体４０の最大傾斜角度とは、相違する。すなわち、アーム３０に対する灯体４０の高さ位置を変更することにより、灯体４０の最大傾斜角度を変更できる。これにより、使用状況に応じて灯体４０の最大傾斜角度を容易に調節できる。【選択図】図２
2019029111.tif 000002
【特許請求の範囲】
【請求項１】
設置面の孔に嵌め込まれて使用される照明装置であって、
前記設置面に対して固定されるフレームと、
前記フレームに支持され、かつ、前記設置面に対して平行な軸を中心として回動可能なアームと、
前記アームに支持される灯体と、
を備え、
前記灯体は、第１高さと、前記第１高さよりも低い第２高さとの間で、前記アームに対する高さ位置を変更可能であり、
前記灯体が前記第１高さに位置するときの前記灯体の最大傾斜角度と、前記灯体が前記第２高さに位置するときの前記灯体の最大傾斜角度とが、相違する照明装置。
【請求項２】
請求項１に記載の照明装置であって、
前記灯体が前記第２高さに位置するときの前記灯体の最大傾斜角度は、前記灯体が前記第１高さに位置するときの前記灯体の最大傾斜角度よりも、大きい照明装置。
【請求項３】
請求項１または請求項２に記載の照明装置であって、
前記灯体は、
前記灯体から照射される光が前記設置面に対して垂直下方へ向かう起立姿勢と、
前記灯体から照射される光が前記設置面に対して斜め下方へ向かう傾斜姿勢と、
の間で回動可能であり、
前記起立姿勢において、前記灯体は、前記第１高さと前記第２高さとの間で、前記設置面に垂直な方向に対して斜めに移動可能である照明装置。
【請求項４】
請求項３に記載の照明装置であって、
少なくとも前記起立姿勢のときに、前記灯体が前記第１高さであるか前記第２高さであるかに拘わらず、前記灯体の全体が、前記フレームの下面よりも上側に位置する照明装置。
【請求項５】
請求項１から請求項４までのいずれか１項に記載の照明装置であって、
前記アームは、
前記第１高さと前記第２高さとの間の前記灯体の移動を案内するガイド
を有する照明装置。
【請求項６】
請求項５に記載の照明装置であって、
前記アームに前記灯体を取り付けるためのボルト
を備え、
前記ガイドは、前記アームに形成された直線状のスリットであり、
前記ボルトは、前記スリットに挿入されて、前記灯体に締結され、
前記灯体と、前記ボルトの頭部との間に、前記アームが挟まれる照明装置。
【請求項７】
請求項１から請求項６までのいずれか１項に記載の照明装置であって、
前記アームまたは前記灯体は、
前記灯体を前記第１高さとして、前記アームを回動させたときに、前記フレームに接触する第１接触部と、
前記灯体を前記第２高さとして、前記アームを回動させたときに、前記フレームに接触する、前記第１接触部とは異なる第２接触部と、
を有する照明装置。
【発明の詳細な説明】
【技術分野】
【０００１】
本発明は、設置面の孔に嵌め込まれて使用される照明装置に関する。
【背景技術】
【０００２】
従来、天井の孔に嵌め込まれて使用される、いわゆるダウンライト型の照明装置が知られている。従来のダウンライト型の照明装置については、例えば、特許文献１に記載されている。特許文献１の照明装置は、回動軸２５を中心として灯具３０を回転させることにより、照射方向を所望の方向へ調整できる（特許文献１の段落００１９等参照）。
【先行技術文献】
【特許文献】
【０００３】
【特許文献１】特許第５６７３３１３号明細書
【発明の概要】
【発明が解決しようとする課題】
【０００４】
近年、光の照射角度が可変なユニバーサルダウンライト型の照明装置において、灯体の最大傾斜角度を大きくするという要求と、灯体の天井面からの突出量を抑えるという要求との、２つの相反する要求を満たすため、灯体の最大傾斜角度を、予め決められた２つの角度（例えば、天井に垂直な方向に対して最大３０°と最大４５°）の間で切り替え、最大傾斜角度が小さいとき（例えば、最大３０°のとき）には灯体の突出量を抑え、最大傾斜角度が大きいとき（例えば、最大４５°のとき）には灯体を突出させるようにした構造がある。灯体の傾斜角度を、予め決められた２つの角度の間で切り替えるためには、例えば、灯体をある方向に回動させた場合の最大傾斜角度と、灯体を他の方向に回動させた場合の最大傾斜角度とが異なるように、灯体自体の形状または傾斜時の灯体に接触する部材の形状を設計することが考えられる。
【０００５】
しかしながら、この方法では、灯体の最大傾斜角度を切り替えるときに、鉛直軸を中心として灯体を１８０°回転させて、鉛直軸周りの灯体の回転角度を再調整する必要がある。このため、灯体の最大傾斜角度を切り替えるために、多くの調整の手間がかかる。
【０００６】
本発明は、このような事情に鑑みなされたものであり、角度可変ダウンライト型の照明装置において、使用状況に応じて灯体の最大傾斜角度を容易に変更できる構造を提供することを目的とする。
【課題を解決するための手段】
【０００７】
上記課題を解決するため、本願発明は、設置面の孔に嵌め込まれて使用される照明装置であって、前記設置面に対して固定されるフレームと、前記フレームに支持され、かつ、前記設置面に対して平行な軸を中心として回動可能なアームと、前記アームに支持される灯体と、を備え、前記灯体は、第１高さと、前記第１高さよりも低い第２高さとの間で、前記アームに対する高さ位置を変更可能であり、前記灯体が前記第１高さに位置するときの前記灯体の最大傾斜角度と、前記灯体が前記第２高さに位置するときの前記灯体の最大傾斜角度とが、相違する。
【発明の効果】
【０００８】
本願発明によれば、アームに対する灯体の高さ位置を変更することにより、灯体の最大傾斜角度を変更できる。これにより、使用状況に応じて灯体の最大傾斜角度を容易に調節できる。
【図面の簡単な説明】
【０００９】
【図１】第１実施形態に係る照明装置の正面図である（第１高さ，起立姿勢）。
【図２】第１実施形態に係る照明装置の側面図である（第１高さ，起立姿勢）。
【図３】第１実施形態に係る照明装置の断面図である（第１高さ，起立姿勢）。
【図４】第１実施形態に係る照明装置の側面図である（第１高さ，傾斜姿勢）。
【図５】第１実施形態に係る照明装置の側面図である（第２高さ，起立姿勢）。
【図６】第１実施形態に係る照明装置の側面図である（第２高さ，傾斜姿勢）。
【図７】第２実施形態に係る照明装置の側面図である（第１高さ）。
【図８】第２実施形態に係る照明装置の側面図である（第２高さ）。
【発明を実施するための形態】
【００１０】
以下、本発明の好適な実施形態について、図面を参照しつつ説明する。
【００１１】
＜１．第１実施形態＞
＜１−１．照明装置の全体構成＞
図１は、本発明の第１実施形態に係る照明装置１の正面図である。図２は、照明装置１の側面図である。図３は、図１中のＡ−Ａ位置から見た照明装置１の断面図である。この照明装置１は、設置面の一例としての天井に設けられた孔に嵌め込まれて使用される、いわゆるダウンライト型の照明装置である。図１〜図３に示すように、照明装置１は、フレーム１０と、３本の取付ばね２０と、一対のアーム３０と、灯体４０とを有する。
【００１２】
フレーム１０は、天井に対して固定される部位である。本実施形態のフレーム１０は、外側フレーム部材１１と内側フレーム部材１２とを有する。外側フレーム部材１１は、略円筒状の側壁部１１１と、側壁部１１１の下端から外側へ向けて突出するフランジ部１１２とを有する。照明装置１の使用時には、天井に設けられた円形の孔に、側壁部１１１が嵌め込まれる。そして、天井の下面に、フランジ部１１２の上面が突き当てられる。
【００１３】
内側フレーム部材１２は、円環状の底部１２１と、底部１２１の周方向の一部から上方へ向けて拡がるコーン部１２２とを有する。コーン部１２２は、灯体４０を後述する傾斜姿勢としたときに、灯体４０と外側フレーム部材１１との間に生じる隙間を塞ぎ、照明装置１の下方から天井裏が見えることを防止する役割を果たす。
【００１４】
外側フレーム部材１１および内側フレーム部材１２は、例えば、鉄、ステンレス、アルミニウムなどの金属により形成される。また、外側フレーム部材１１と内側フレーム部材１２とは、互いに固定されている。ただし、外側フレーム部材１１および内側フレーム部材１２が、一体の部材により形成されていてもよい。また、外側フレーム部材１１および内側フレーム部材１２の一方または両方が、樹脂などの他の材料により形成されていてもよい。
【００１５】
３本の取付ばね２０は、フレーム１０を天井に固定するための板ばねである。３本の取付ばね２０は、フレーム１０の周囲に等角度間隔で設けられている。各取付ばね２０の内側の端部は、フレーム１０に固定されている。照明装置１の使用時には、各取付ばね２０が、天井を構成する板（天井板）の上面に弾性接触する。そして、フレーム１０のフランジ部１１２と、取付ばね２０との間に、天井板が挟まれる。これにより、天井板に対してフレーム１０が固定される。
【００１６】
なお、照明装置１に設けられる取付ばね２０の数は、天井板に対するフレーム１０の固定強度を、十分に得ることができる数であればよい。例えば、取付ばね２０の数は、２本や４本であってもよい。
【００１７】
一対のアーム３０は、灯体４０を支持する板状の部材である。アーム３０の材料には、例えば、鉄やステンレスなどの強度の高い金属が用いられる。各アーム３０の下端部は、フレーム１０に取り付けられている。具体的には、内側フレーム部材１２のコーン部１２２の周方向の両端部に、一対のアーム３０が、それぞれ取り付けられている。内側フレーム部材１２に対する一方のアーム３０の取り付け位置と他方のアーム３０の取り付け位置とは、上面視において、内側フレーム部材１２の中心に対して、互いに１８０°離れている。各取り付け位置においては、コーン部１２２およびアーム３０の双方に形成された孔に対して、ボルト５１が挿入されている。これにより、アーム３０は、フレーム１０に対して支持されるとともに、ボルト５１の軸（天井に対して平行な軸）を中心として回動可能となっている。
【００１８】
図２に示すように、各アーム３０には、直線状のスリット３１が形成されている。スリット３１は、アーム３０を厚み方向に貫通する。このスリット３１は、アーム３０に対して後述するケーシング４１を固定するときに、ボルト５２が挿入される孔となる。また、このスリット３１は、後述する第１高さと第２高さとの間で灯体４０を昇降移動させるときに、灯体４０の移動を案内するガイドの役割も果たす。
【００１９】
灯体４０は、光源であるＬＥＤモジュール４２を保持するユニットである。灯体４０は、アーム３０に支持されている。図１〜図３に示すように、灯体４０は、ケーシング４１、ＬＥＤモジュール４２、ヒートシンク４３、透光部材４４、リフレクタ４５、およびフード４６を有する。灯体４０の高さ位置および姿勢に拘らず、ケーシング４１、ＬＥＤモジュール４２、ヒートシンク４３、透光部材４４、リフレクタ４５、およびフード４６の相互の位置関係は、一定に固定されている。
【００２０】
ケーシング４１は、略円筒状の部材である。ケーシング４１の外径は、上述した外側フレーム部材１１の側壁部１１１の内径および内側フレーム部材１２の底部１２１の内径よりも小さい。灯体４０が後述する起立姿勢のときには、上面視において、フレーム１０の内側にケーシング４１が位置する。ＬＥＤモジュール４２、透光部材４４、およびリフレクタ４５、は、ケーシング４１の内部に収容される。
【００２１】
ケーシング４１は、複数のボルト５２により、一対のアーム３０に取り付けられている。一方のアーム３０に対するケーシング４１の取り付け位置と、他方のアーム３０に対するケーシング４１の取り付け位置とは、上面視において、ケーシング４１の中心に対して１８０°離れている。各取り付け位置においては、アーム３０のスリット３１に２本のボルト５２が挿入されている。そして、各ボルト５２の先端が、ケーシング４１に設けられたねじ孔に締結されている。その結果、ケーシング４１の外表面と、ボルト５２の頭部との間に、アーム３０が挟まれる。これにより、一対のアーム３０にケーシング４１が支持される。
【００２２】
特に、本実施形態では、１つのアーム３０に対するケーシング４１の取り付けに、２本のボルト５２が用いられている。このように、１つのアーム３０に対するケーシング４１の取り付けに、複数のボルト５２を用いれば、仮に一部のボルト５２に緩みが生じた場合でも、アーム３０に対するケーシング４１の支持力を維持することができる。
【００２３】
ＬＥＤモジュール４２は、光源であるＬＥＤ素子４２１と、ＬＥＤ素子４２１を発光駆動させる回路基板４２２とを有する。ＬＥＤ素子４２１は、回路基板４２２の下面に実装されている。回路基板４２２は、外部から図示を省略したケーブルを介して取得する電力を用いて、ＬＥＤ素子４２１に駆動電流を供給する。ＬＥＤ素子４２１は、回路基板４２２から供給される駆動電流に基づいて発光する。
【００２４】
ヒートシンク４３は、ＬＥＤモジュール４２から生じた熱を、外部へ放出するための放熱部材である。ヒートシンク４３は、例えば、熱伝導率の高いアルミニウム等の金属により形成されている。ヒートシンク４３は、ＬＥＤモジュール４２の上方に位置する。また、ヒートシンク４３は、広い表面積を確保するために、複数の板状のフィン４３１を有する。ＬＥＤモジュール４２から生じた熱は、回路基板４２２からヒートシンク４３へ伝導し、複数のフィン４３１の表面から空気中に放出される。これにより、ＬＥＤモジュール４２の過度な昇温が抑制される。
【００２５】
透光部材４４は、回路基板４２２の下面に固定される。透光部材４４の材料には、例えば、アクリル樹脂、ポリカーボネート、ガラス等の光透過性の高い材料が用いられる。ＬＥＤ素子４２１は、回路基板４２２の下面と、透光部材４４との間に形成された空間に収容される。これにより、ＬＥＤ素子４２１への粉塵の付着が防止される。ＬＥＤ素子４２１が発光すると、ＬＥＤ素子４２１から出射された光は、透光部材４４を通って、下方またはリフレクタ４５へ照射される。
【００２６】
リフレクタ４５は、ＬＥＤ素子４２１から出射された光の一部を反射する反射板である。リフレクタ４５は、ケーシング４１の内側かつ透光部材４４の外側に位置する。リフレクタ４５は、円環状に拡がる内周面４５１を有する。リフレクタ４５の上部の開口から下部の開口へ向かうにつれて、内周面４５１の径は、徐々に拡大する。また、リフレクタ４５の上部の開口から下部の開口へ向かうにつれて、内周面４５１の曲率は、徐々に大きくなる。ＬＥＤ素子４２１から透光部材４４を通ってリフレクタ４５に照射された光は、リフレクタ４５の内周面４５１により反射されて、下方へ向かう。これにより、ＬＥＤ素子４２１から出射される光を、効率よく対象物へ照射することができる。
【００２７】
フード４６は、ケーシング４１およびリフレクタ４５の下方に配置される略円筒状の部材である。フード４６の内周面には、不要な光を遮るための複数の凹凸が設けられている。このようなフード４６を設けることにより、照明装置１から照射される光の眩しさを抑えることができる。また、フード４６が無い場合よりも、照明装置１の下方から、光源であるＬＥＤ素子４２１が直視されにくくなる。
【００２８】
＜１−２．灯体の位置および姿勢の変更について＞
上記の照明装置１は、灯体４０の高さ位置を、第１高さと、第１高さよりも低い第２高さとの間で変更できる。また、第１高さおよび第２高さのそれぞれの状態において、灯体４０の姿勢を、起立姿勢と傾斜姿勢との間で切り替えることができる。起立姿勢のときには、灯体４０から照射される光が、天井に対して略垂直下方へ向かう。傾斜姿勢のときには、灯体４０から照射される光が、天井に対して斜め下方へ向かう。
【００２９】
上述した図１〜図３は、灯体４０を第１高さとし、かつ、灯体４０を起立姿勢とした状態を示している。図４は、灯体４０を第１高さとし、かつ、灯体４０を傾斜姿勢としたときの、照明装置１の側面図である。図５は、灯体４０を第２高さとし、かつ、灯体４０を起立姿勢としたときの、照明装置１の側面図である。図６は、灯体４０を第２高さとし、かつ、灯体４０を傾斜姿勢としたときの、照明装置１の側面図である。
【００３０】
灯体４０の高さ位置を変更するときには、ユーザは、まず、灯体４０を起立姿勢とする。そして、ユーザが、灯体４０の例えばフード４６をつかんで、灯体４０に下向きまたは上向きの圧力を加える。そうすると、一対のアーム３０のスリット３１に沿って、ボルト５２が移動する。これにより、アーム３０に対する灯体４０の高さ位置が、図２に示す第１高さと、図５に示す第２高さとの間で変更される。
【００３１】
灯体４０を、起立姿勢から傾斜姿勢へ切り替えるときには、ユーザは、灯体４０の例えばフード４６をつかんで、灯体４０に横向きの圧力を加える。そうすると、一対のアーム３０と、アーム３０に支持された灯体４０とが、一体として、ボルト５１を中心に回動する。そして、アーム３０または灯体４０の一部分が、フレーム１０の一部分に接触する。これにより、一対のアーム３０および灯体４０の回動が停止する。
【００３２】
ここで、灯体４０を第１高さとしてアーム３０を回動させたときと、灯体４０を第２高さとしてアーム３０を回動させたときとで、アーム３０または灯体４０の、フレーム１０に接触する部分が異なる。すなわち、アーム３０または灯体４０は、灯体４０を第１高さとしてアーム３０を回動させたときにフレーム１０に接触する第１接触部と、灯体４０を第２高さとしてアーム３０を回動させたときにフレーム１０に接触する第２接触部とを有するが、この第１接触部と第２接触部とが異なる。このため、灯体４０が第１高さに位置するときのアーム３０の回動可能角度と、灯体４０が第２高さに位置するときのアーム３０の回動可能角度とが、相違する。
【００３３】
本実施形態では、灯体４０を第１高さに配置したときは、図４のように、灯体４０を、起立姿勢から約３０°回動させた傾斜姿勢とすることができる。また、灯体４０を第２高さに配置したときには、図６のように、灯体４０を、起立姿勢から約４５°回動させた傾斜姿勢とすることができる。
【００３４】
このように、この照明装置１では、アーム３０に対する灯体４０の高さ位置を変更することにより、灯体４０の最大傾斜角度を変更できる。したがって、例えば、灯体４０からの光の照射角度を３０°から４５°に変更したいときには、灯体４０を第１位置から第２位置へ下降させることで、光の照射角度を変更できる。このため、灯体４０を鉛直軸周りに回転させて灯体４０の鉛直軸周りの回転角度を再調整するなどの手間をかけることなく、光の照射角度を容易かつ正確に変更できる。
【００３５】
特に、本実施形態では、灯体４０が第２高さに位置するときの灯体４０の最大傾斜角度（約４５°）は、灯体４０が第１高さに位置するときの灯体４０の最大傾斜角度（約３０°）よりも、大きい。すなわち、灯体４０の高さが相対的に低いときの方が、灯体４０を、大きく傾斜させることができる。このようにすれば、第２高さで灯体４０を大きく傾斜させたときに、灯体４０から照射される光が、フレーム１０に遮られにくい。したがって、灯体４０から照射される光を、より効率よく対象物へ当てることができる。
【００３６】
また、本実施形態では、図２および図５に示すように、灯体４０を起立姿勢としたときに、アーム３０のスリット３１の向きが、天井に垂直な方向に対してやや傾斜した向きとなっている。このため、灯体４０は、第１高さと第２高さとの間で、天井に垂直な方向に対して斜めに移動する。具体的には、灯体４０を第１高さから第２高さへ下降させるときに、上面視において、傾斜姿勢の灯体４０から照射される光の向きとは反対側に、灯体４０が移動する。このようにすれば、第２高さで灯体４０を傾斜姿勢としたときに、灯体４０から照射される光が、フレーム１０に遮られることを、より抑制できる。
【００３７】
また、本実施形態の照明装置１は、灯体４０を天井から下方へ大きく引き出して、天井から完全に露出した灯体４０の姿勢を傾斜させるものではなく、灯体４０の大部分が天井に隠れた状態で、灯体４０の姿勢を変更するものである。灯体４０が起立姿勢のときには、灯体４０が第１高さであるか第２高さであるかに拘らず、灯体４０の全体が、フレーム１０の下面よりも上側に位置する。このため、第２高さで灯体４０を傾斜させたときにも、フレーム１０より下側への灯体４０の露出を抑えることができる。したがって、この照明装置１の使用により、天井面の美観が損なわれにくい。
【００３８】
＜２．第２実施形態＞
続いて、本発明の第２実施形態について説明する。第２実施形態の照明装置１も、灯体４０の高さ位置を、第１高さと、第１高さよりも低い第２高さとの間で変更できる。また、第１高さおよび第２高さのそれぞれの状態において、灯体４０の姿勢を、起立姿勢と傾斜姿勢との間で切り替えることができる。
【００３９】
図７は、灯体４０を第１高さとしたときの照明装置１の側面図である。図７においては、起立姿勢の灯体４０およびそのときのアーム３０が実線で示され、傾斜姿勢の灯体４０およびそのときのアーム３０が二点鎖線で示されている。図８は、灯体４０を第２高さとしたときの照明装置１の側面図である。図８においても、起立姿勢の灯体４０およびそのときのアーム３０が実線で示され、傾斜姿勢の灯体４０およびそのときのアーム３０が二点鎖線で示されている。
【００４０】
本実施形態の照明装置１も、図７のように、アーム３０に対する灯体４０の高さ位置を第１高さとしたときには、灯体４０を、起立姿勢から約３０°回動させることができる。また、図８のように、アーム３０に対する灯体４０の高さ位置を第２高さとしたときには、灯体４０を、起立姿勢から約４５°回動させることができる。すなわち、アーム３０に対する灯体４０の高さ位置を変更することにより、灯体４０の最大傾斜角度を変更できる。したがって、使用状況に応じて灯体４０の最大傾斜角度を容易に調節できる。
【００４１】
ただし、本実施形態の照明装置１は、第１実施形態の照明装置１と比べて、フレーム１０の内径が大きい。このため、灯体４０を傾斜姿勢としたときに、灯体４０から照射される光が、フレーム１０に遮られにくい。このように、フレーム１０の内径に余裕がある場合には、灯体４０を第１高さから第２高さへ移動させるときに、灯体４０の水平方向の位置を変えなくてもよい。本実施形態では、図７および図８のように、灯体４０を起立姿勢としたときに、アーム３０のスリット３１の向きが、天井に対して略垂直となっている。したがって、灯体４０は、第１高さと第２高さとの間で、天井に対して略垂直な方向に移動する。
【００４２】
＜３．変形例＞
以上、本発明の第１実施形態および第２実施形態について説明したが、本発明は、これらの実施形態に限定されるものではない。
【００４３】
上記の実施形態では、灯体の最大傾斜角度を３０°と４５°との間で切り替えていたが、灯体の最大傾斜角度は、他の角度であってもよい。また、灯体の高さ位置を３段階以上に変更可能とし、各高さ位置における灯体の最大傾斜角度を、相違させてもよい。
【００４４】
また、上記の実施形態では、１つのアームに１本のスリットが設けられていた。しかしながら、１つのアームに、互いに平行な２本以上のスリットを設けてもよい。
【００４５】
また、上記の実施形態では、アームにスリットが設けられ、当該スリットに沿ってボルトが移動していた。しかしながら、灯体のケーシングにスリットが設けられ、アームに固定されたボルトに対して、ケーシングを、スリットに沿ってスライド移動させる構造としてもよい。
【００４６】
また、上記の実施形態では、灯体の移動を案内するためのガイドとして、スリットを用いていた。しかしながら、スリットに替えて、例えば直線状の溝または直線状の突起を、灯体を移動させるためのガイドとして使用してもよい。
【００４７】
また、上記の実施形態では、光源としてＬＥＤ素子を用いていた。しかしながら、本発明の照明装置の光源は、ＬＥＤ素子に限らず、発光するものであればよい。例えば、ＬＥＤ素子に代えて、白熱電球や蛍光灯等の他の光源を用いてもよい。
【００４８】
また、各部材の細部の形状については、本願の各図に示された形状と、相違していてもよい。
【００４９】
また、上記の実施形態や変形例に登場した各要素を、矛盾が生じない範囲で、適宜に組み合わせてもよい。
【００５０】
＜４．発明の抽出＞
上記の実施形態および変形例から抽出される発明として、例えば、以下の発明を挙げることができる。
【００５１】
第１発明は、設置面の孔に嵌め込まれて使用される照明装置であって、前記設置面に対して固定されるフレームと、前記フレームに支持され、かつ、前記設置面に対して平行な軸を中心として回動可能なアームと、前記アームに支持される灯体と、を備え、前記灯体は、第１高さと、前記第１高さよりも低い第２高さとの間で、前記アームに対する高さ位置を変更可能であり、前記灯体が前記第１高さに位置するときの前記灯体の最大傾斜角度と、前記灯体が前記第２高さに位置するときの前記灯体の最大傾斜角度とが、相違する。
【００５２】
第２発明は、第１発明の照明装置であって、前記灯体が前記第２高さに位置するときの前記灯体の最大傾斜角度は、前記灯体が前記第１高さに位置するときの前記灯体の最大傾斜角度よりも、大きい。
【００５３】
第３発明は、第１発明または第２発明の照明装置であって、前記灯体は、前記灯体から照射される光が前記設置面に対して垂直下方へ向かう起立姿勢と、前記灯体から照射される光が前記設置面に対して斜め下方へ向かう傾斜姿勢と、の間で回動可能であり、前記起立姿勢において、前記灯体は、前記第１高さと前記第２高さとの間で、前記設置面に垂直な方向に対して斜めに移動可能である。
【００５４】
第４発明は、第３発明の照明装置であって、少なくとも前記起立姿勢のときに、前記灯体が前記第１高さであるか前記第２高さであるかに拘わらず、前記灯体の全体が、前記フレームの下面よりも上側に位置する。
【００５５】
第５発明は、第１発明から第４発明までのいずれか１発明の照明装置であって、前記アームは、前記第１高さと前記第２高さとの間の前記灯体の移動を案内するガイドを有する。
【００５６】
第６発明は、第５発明の照明装置であって、前記アームに前記灯体を取り付けるためのボルトを備え、前記ガイドは、前記アームに形成された直線状のスリットであり、前記ボルトは、前記スリットに挿入されて、前記灯体に締結され、前記灯体と、前記ボルトの頭部との間に、前記アームが挟まれる。
【００５７】
第７発明は、第１発明から第６発明までのいずれか１発明の照明装置であって、前記アームまたは前記灯体は、前記灯体を前記第１高さとして、前記アームを回動させたときに、前記フレームに接触する第１接触部と、前記灯体を前記第２高さとして、前記アームを回動させたときに、前記フレームに接触する、前記第１接触部とは異なる第２接触部と、を有する。
【００５８】
第１発明〜第７発明によれば、アームに対する灯体の高さ位置を変更することにより、灯体の最大傾斜角度を変更できる。これにより、使用状況に応じて灯体の最大傾斜角度を容易に調節できる。
【００５９】
特に、第２発明によれば、灯体の高さが相対的に低いときの方が、アームおよび灯体を、大きく傾斜させることができる。このようにすれば、第２高さで灯体を大きく傾斜させたときに、灯体から照射される光が、フレームに遮られにくい。
【００６０】
特に、第３発明によれば、灯体が、第１高さと第２高さとの間で、天井に垂直な方向に対して斜めに移動する。これにより、灯体を傾斜姿勢としたときに、灯体から照射される光がフレームに遮られることを抑制できる。
【００６１】
特に、第４発明によれば、フレームより下側への灯体の露出を抑えることができる。
【符号の説明】
【００６２】
１  照明装置
１０  フレーム
１１  外側フレーム部材
１２  内側フレーム部材
２０  取付ばね
３０  アーム
３１  スリット
４０  灯体
４１  ケーシング
４２  ＬＥＤモジュール
４３  ヒートシンク
４４  透光部材
４５  リフレクタ
４６  フード
５１  ボルト
５２  ボルト
【図１】
2019029111.tif 000003
【図２】
2019029111.tif 000004
【図３】
2019029111.tif 000005
【図４】
2019029111.tif 000006
【図５】
2019029111.tif 000007
【図６】
2019029111.tif 000008
【図７】
2019029111.tif 000009
【図８】
2019029111.tif 000010